(57)【要約】簡単な紐デバイス（１）を使用して、エアバッグを折り畳み位置に保持する。紐デバイス（１）は、個々のエアバッグ構成に応じて、ループまたは様々な種類のループに形成した、紐（１０）で構成する。紐デバイス（２）は、エアバッグ組立体の基部（４１）から突出して、エアバッグユニットを装着構造に固定するのに使用される固定スタッド（４６）にループ状にかける。次いで、紐デバイス（１）は、折り畳みエアバッグ（４４）上にループ状に回して、反対方向から固定スタッド（４６）の回りにループ状にかけて、折り畳みエアバッグ（４４）を固定する。
2005527424.tif 000002
【特許請求の範囲】
【請求項１】
エアバッグと少なくとも１つの固定スタッドがそこから突出する基部とを有するエアバッグ組立体を、保持するシステムであって、前記エアバッグ上に配置されて、前記エアバッグを未膨張の折り畳み位置に固定する、ループ状紐を含む、前記保持システム。
【請求項２】
ループ状紐が、基部から突出する固定スタッドの回りに配置された、請求項１に記載のエアバッグ保持システム。
【請求項３】
ループ状紐が、「８」の字に構成された、請求項１に記載のエアバッグ保持システム。
【請求項４】
エアバッグを基部に保持する方法であって、
前記基部に近接して、未膨張エアバッグを折り畳むステップと、
前記折り畳みエアバッグの上に紐をループ状にかけるステップと、
前記紐を前記基部に固定するステップとを含む、前記方法。
【請求項５】
少なくとも１つの固定スタッドがそこから突出するエアバッグ基部にエアバッグを保持する方法であって、
前記基部に近接して、未膨張のエアバッグを折り畳むステップと、
１本の紐でループを形成するステップと、
前記紐ループの第１端を、前記固定スタッドの回りに配置するステップと、
前記エアバッグ上に前記紐ループを巻きつけるステップと、
前記紐ループの第２端を、前記固定スタッドの回りに配置するステップとを含む、前記方法。
【請求項６】
紐ループが、「８」の字である、請求項５に記載の方法。
【発明の詳細な説明】
【発明の詳細な説明】
【０００１】
発明の分野
本発明は、一般的にエアバッグを使用する安全拘束システムに関し、より具体的には、エアバッグを包み込み位置（wrapped position）に保持するデバイスおよび方法に関する。これらのデバイスは、収縮したエアバッグをその初期位置に保持するのに十分強く、同時に容易に破断してエアバッグの急速な膨張を可能にするのに十分弱くなくてはならない。
【０００２】
発明の背景および概要
様々な拘束方法が、車両内にエアバッグを梱包するのに使用される。
実装時には、エアバッグは収縮位置にあり、それ自体の上に折り畳まれて、エアバッグ容器中に容易に梱包することができる。エアバッグを折り畳み位置に拘束する様々な方法が、業界で知られている。これらの方法には、折り畳んだバッグを、より小さく、薄いバッグで覆うか、またはバッグを有孔紙カバーもしくは織布カバーで包み、折り畳んだエアバッグを包み込むものがある。これらの方法は、複雑で高価である。したがって、未膨張のエアバッグを定位置に保持する、簡単で、経済的な方法が業界において望まれている。
【０００３】
そのような機構の複雑さを軽減するために、本発明の目的は、未膨張のエアバッグをエアバッグ容器内に支持かつ保持する、改良型の方法を提供することである。本発明は、拘束手段として簡単な紐を使用する。紐の材質は、好ましくは工業用縫糸である。この紐を、特定のエアバッグの寸法および形状に応じて、一重ループまたは多数の異なる種類のループにして結ぶ。
【０００４】
未膨張の折り畳みエアバッグは、通常、少なくとも１つのスタッドがそこから突出する基部に締結される。このスタッドは、エアバッグ組立体をエアバッグ容器に固定するのに使用される。紐は、スタッドに第１の方向にループ状にかけて、エアバッグ自体にループ状に回し、次いで反対方向から再びスタッドにループ状にかけて、エアバッグをその折り畳み位置に固定する。
事故発生時には、エアバッグは、急速に膨張しなくてはならない。したがって、この紐は、正常運転中は未膨張のエアバッグを定位置に保持するのに十分な引張り強度を有しながら、事故発生中には、応力下で容易に破断してエアバッグの適切な展開を可能にすることが要求される。
【０００５】
本発明のその他の使用および利点は、以下に示す詳細な説明から明白になるであろう。この詳細な説明から当業者には本発明に対する様々な変更および修正が明白であるので、この詳細な説明および具体的な例は、本発明の好ましい実施態様を示すが、説明上のものにすぎないことを理解すべきである。
【０００６】
好ましい実施態様の詳細な説明
本発明は、この詳細な説明と添付の図面とから、より完全に理解されるであろう。
本発明は、未膨張の折り畳みエアバッグをエアバッグ容器内に支持して拘束する方法および装置である。この装置は、正常な車両運転中には、エアバッグを容器内に十分に拘束しながら、事故発生時には、エアバッグの適切な展開を可能にしなくてはならない。事故発生時には、適正に展開されたエアバッグが、数ミリ秒以内に完全に膨張しなければならない。したがって、保持デバイスは、エアバッグの膨張を妨害してはならない。
【０００７】
図１および２を参照すると、本発明の好ましく構築された実施態様によれば、紐デバイス１は、好ましくは、ループに結ばれて結び目１２を有する１本の工業用縫糸１０で構築する。その他の材料、例えばバッグを未膨張状態に収納するが、エアバッグ膨張圧力で容易に破断する引張り強度を有する、ナイロンまたは木綿などを使用して、繊維またはコード１０を形成することもできる。代替的な紐デバイス２は、図３に示すように、ループに結ばれて、結び目２２を有し、さらに紐デバイス２を「８の字」に捩る追加のステップを含む、１本の工業用縫紐２０で構成する。これによって、図５および６に示す、未膨張の折り畳みエアバッグ４４を適切な位置に固定する、第２の方法を提供する。図４は、図２および３に示すループの組み合わせを示す。この実施態様においては、紐デバイス３は、ループに結ばれて、結び目３２を有し、さらに「８の字」を含むように細工された、紐３０で構成する。
【０００８】
紐デバイス１、２、および３の様々な使用を、図１、５、６および８に示してある。図５は、２つの固定スタッド４６がそこから突出する基部ユニット４１を有する、エアバッグ組立体４を示す。エアバッグ組立体４に紐デバイス１を部分的に、ループ状にかけた状態を示してある。紐１０の一端を最初に固定スタッド４６にループ状にかける。次いで、紐１０を、折り畳みエアバッグ４４の上にループ状にかけて、下方向に元に戻して、反対方向から固定スタッド４６の上に再びループ状にかける。図１および６は、完全に包み込んで、固定したエアバッグ組立体４を示す。折り畳みエアバッグ４４は、上記のステップによって設置した紐１０によって、基部４１に固定される。
【０００９】
保持システムは、エアバッグが適切に展開することを可能にすることが重要である。したがって、紐デバイス１０は、展開中のエアバッグ４４によって容易に破断しなくてはならない。このエアバッグ４４展開は、図６に概略図で示してあり、この場合には紐１０は、エアバッグ４４の膨張の結果として破断する。
図８は、紐２０をエアバッグ組立体４’のまわりに「８の字」形状に巻きつける代替的実施方法を示す。さらに、図２および３に示すループの組み合わせ（図４を参照）を使用して、エアバッグ４４を折り畳み位置に保持することができる。
【００１０】
本発明の特定の実施態様を詳細に説明したが、本開示の全体的な教示に照らして、これらの詳細に対して様々な修正および変更を加えることができることを、当業者は理解するであろう。したがって、開示した特定の配設は、説明上のもであり、本発明の範囲を限定するものではなく、本発明の範囲は、添付した請求の範囲、およびその均等物すべての全幅が与えられるべきである。
【図面の簡単な説明】
【００１１】
【図１】本発明による折り畳みエアバッグの概略斜視図である。
【図２】本発明による紐の概略図である。
【図３】本発明による紐の概略図である。
【図４】本発明に折る紐の概略図である。
【図５】本発明による折り畳みエアバッグの概略図である。
【図６】本発明による、折り畳んで固定したエアバッグの概略側面図である。
【図７】展開されたエアバッグの概略図である。
【図８】本発明による「８の字」保持紐を備える、折り畳みエアバッグの概略図を示す。
【図１】
2005527424.tif 000003
【図２】
2005527424.tif 000004
【図３】
2005527424.tif 000005
【図４】
2005527424.tif 000006
【図５】
2005527424.tif 000007
【図６】
2005527424.tif 000008
【図７】
2005527424.tif 000009
【図８】
2005527424.tif 000010
【手続補正書】
【提出日】平成15年11月24日(2003.11.24)
【手続補正１】
【補正対象書類名】特許請求の範囲
【補正対象項目名】全文
【補正方法】変更
【補正の内容】
【特許請求の範囲】
【請求項１】
エアバッグと、
基部から突出する少なくとも１つの固定スタッドを備えた前記基部と、を有するエアバッグ組立体のための、保持システムであって、
前記エアバッグの上、および前記固定スタッドの回りに配置されて、前記エアバッグを未膨張の折り畳み位置に固定する、ループ状紐を含む、前記保持システム。
【請求項３】
ループ状紐が、「８」の字に構成された、請求項１に記載のエアバッグ保持システム。
【請求項４】
基部から突出する少なくとも１つのスタッドを備えた前記基部に、エアバッグを保持する方法であって、
前記基部に近接して、未膨張エアバッグを折り畳むステップと、
前記折り畳みエアバッグの上に紐をループ状にかけるステップと、
前記紐を前記固定スタットの回りにループ状にかけることによって、前記紐を前記基部に固定するステップとを含む、前記方法。
【請求項５】
エアバッグ基部から突出する少なくとも１つの固定スタッドを備えた前記エアバッグ基部に、エアバッグを保持する方法であって、
前記基部に近接して、未膨張のエアバッグを折り畳むステップと、
１本の紐でループを形成するステップと、
前記紐ループの第１端を、前記固定スタッドの回りに配置するステップと、
前記エアバッグ上に前記紐ループを巻きつけるステップと、
前記紐ループの第２端を、前記固定スタッドの回りに配置するステップとを含む、前記方法。
【請求項６】
紐ループが、「８」の字である、請求項５に記載の方法。
【国際調査報告】
2005527424.tif 000011
2005527424.tif 000012